(57)【要約】【課題】  ホルダの保持が安定すると共に、レンズのセンターずれを防止できるカメラモジュールを提供すること。【解決手段】  本発明のカメラモジュールにおいて、ホルダ２と保持部材４の何れか一方には第１のねじ部３が設けられ、他方には第２のねじ部６が設けられ、第１のねじ部３のねじ山３ａの頂部に位置する平らな面が第２のねじ部６の谷部６ｂの底部に位置する平らな面に摺接するようにしたため、ホルダ２の横方向（矢印Ａ２方向）の動きを防止できて、撮像素子８に対するホルダ２のセンターずれを防止できると共に、ねじ山の頂部と谷部の平らな面同士の噛み合いによって、保持部材４に対するホルダ２の上下方向（矢印Ａ１方向）の動きも極力抑えることができて、ホルダ２の保持の安定したものが得られる。【選択図】  図１
2007047590.tif 000002
【特許請求の範囲】
【請求項１】
レンズと、このレンズを内部に保持し、外周面にねじ部が設けられた筒状のホルダと、前記ねじ部に噛み合うねじ部が内周面に設けられた筒状の保持部材とを備え、前記ホルダと前記保持部材の何れか一方には、第１の前記ねじ部が設けられると共に、前記ホルダと前記保持部材の何れか他方には、前記第１のねじ部に噛み合う第２の前記ねじ部が設けられ、前記第１のねじ部は、ねじ山の頂部が平らな面に形成され、前記第２のねじ部は、ねじ山間に位置する谷部の底部が平らな面に形成され、前記第１のねじ部のねじ山の頂部と前記第２のねじ部の谷部の底部が互いに摺接するようにしたことを特徴とするカメラモジュール。
【請求項２】
前記第２のねじ部のねじ山は、断面が三角形状、或いは台形状をなし、前記第２のねじ部のねじ山の側面と前記第１のねじ部のねじ山の側面との間に隙間を設けたことを特徴とする請求項１記載のカメラモジュール。
【請求項３】
前記第２のねじ部のねじ山の頂部と前記第１のねじ部のねじ山間に位置する谷部の底部との間に隙間を設けたことを特徴とする請求項２記載のカメラモジュール。
【請求項４】
前記隙間には、接着剤が設けられて、前記ホルダと前記保持部材が接着されたことを特徴とする請求項２，又は３記載のカメラモジュール。
【発明の詳細な説明】
【技術分野】
【０００１】
本発明は、携帯電話機等に適用して好適なカメラモジュールに関するものである。
【背景技術】
【０００２】
従来のカメラモジュールの図面を説明すると、図３は従来のカメラモジュールに係る要部断面図、図４は従来のカメラモジュールに係る雄ねじと雌ねじの噛み合い状態を示す説明図であり、次に、従来のカメラモジュールの構成を図３，図４に基づいて説明すると、内部にレンズ５１が保持された筒状のホルダ５２の外周部には、雄ねじ５３が設けられ、この雄ねじ５３は、断面が台形状をなしたねじ山５３ａと、ねじ山５３ａ間に位置する台形状の谷部５３ｂを有する。
【０００３】
ホルダ５２を保持する保持部材５４は、筒状部５５と、この筒状部５５内に設けられた雌ねじ５６を有し、この雌ねじ５６は、断面が台形状をなしたねじ山５６ａと、ねじ山５６ａ間に位置する台形状の谷部５６ｂを有すると共に、この保持部材５４の雌ねじ５６には、ホルダ５２の雄ねじ５３がねじ込まれて、ホルダ５２が保持部材５４に取り付けられている。
【０００４】
そして、雄ねじ５３と雌ねじ５６は、図４に示すように、ねじ込みを容易にするために、台形状のねじ山５３ａ、５６ａと台形状の谷部５３ｂ、５６ｂが互いにクリアランスを持って形成されて、ねじ山５３ａの頂部と谷部５６ｂの底部の間、及び谷部５３ｂの底部とねじ山５６ａの頂部の間は、互いに間隔が空けられた状態となっている。このため、雄ねじ５３が雌ねじ５６にねじ込まれる際は、ねじ山５３ａの上部側面がねじ山５６ａの下部側面に摺接しながらねじ込まれるが、ねじ込みが完了した際、クリアランスによってねじ山５３ａの下部側面とねじ山５６ａの上部側面との間に隙間Ｓ４が生じて、この隙間Ｓ４の範囲でホルダ５２が上下動（矢印Ａ１方向へのガタツキ）し、且つ、ねじ山５３ａの頂部と谷部５６ｂの底部の間、及び谷部５３ｂの底部とねじ山５６ａの頂部の間に間隔（隙間Ｓ５）が空けられた状態となっていることから、その隙間Ｓ５の範囲でホルダ５２が横方向に移動（矢印Ａ２方向へのガタツキ）する。そして、撮像素子５７を取り付けた回路基板５８が保持部材５４の下部に取り付けられて、従来のカメラモジュールが形成されている（例えば、特許文献１参照）。
【特許文献１】特開２００３−３２５２５号公報（第２−第３頁、図２，図４）
【発明の開示】
【発明が解決しようとする課題】
【０００５】
しかし、従来のカメラモジュールにおいて、雄ねじ５３と雌ねじ５６は、上下方向の隙間Ｓ４と横方向の隙間Ｓ５を持って噛み合わせるようになっているため、ホルダ５２が上下方向と横方向に大きなガタツキを生じて、ホルダ５２の安定した保持ができない上に、ホルダ５２の横方向のガタツキは、撮像素子５７に対するレンズ５１のセンターずれとなって、大きな欠点になるという問題がある。
【０００６】
本発明は、このような従来技術の実情に鑑みてなされたもので、その目的は、ホルダの保持が安定すると共に、レンズのセンターずれを防止できるカメラモジュールを提供することにある。
【課題を解決するための手段】
【０００７】
上記の目的を達成するために、本発明の第１の解決手段として、レンズと、このレンズを内部に保持し、外周面にねじ部が設けられた筒状のホルダと、前記ねじ部に噛み合うねじ部が内周面に設けられた筒状の保持部材とを備え、前記ホルダと前記保持部材の何れか一方には、第１の前記ねじ部が設けられると共に、前記ホルダと前記保持部材の何れか他方には、前記第１のねじ部に噛み合う第２の前記ねじ部が設けられ、前記第１のねじ部は、ねじ山の頂部が平らな面に形成され、前記第２のねじ部は、ねじ山間に位置する谷部の底部が平らな面に形成され、前記第１のねじ部のねじ山の頂部と前記第２のねじ部の谷部の底部が互いに摺接するようにした構成とした。
【０００８】
また、第２の解決手段として、前記第２のねじ部のねじ山は、断面が三角形状、或いは台形状をなし、前記第２のねじ部のねじ山の側面と前記第１のねじ部のねじ山の側面との間に隙間を設けた構成とした。
【０００９】
また、第３の解決手段として、前記第２のねじ部のねじ山の頂部と前記第１のねじ部のねじ山間に位置する谷部の底部との間に隙間を設けた構成とした。
【００１０】
また、第４の解決手段として、前記隙間には、接着剤が設けられて、前記ホルダと前記保持部材が接着された構成とした。
【発明の効果】
【００１１】
本発明のカメラモジュールにおいて、ホルダと保持部材の何れか一方には第１のねじ部が設けられ、他方には第２のねじ部が設けられ、第１のねじ部のねじ山の頂部に位置する平らな面が第２のねじ部の谷部の底部に位置する平らな面に摺接するようにしたため、ホルダの横方向（矢印Ａ２方向）の動きを防止できて、撮像素子に対するホルダのセンターずれを防止できると共に、ねじ山の頂部と谷部の平らな面同士の噛み合いによって、保持部材に対するホルダの上下方向（矢印Ａ１方向）の動きも極力抑えることができて、ホルダの保持の安定したものが得られる。
【００１２】
また、第２のねじ部のねじ山は、断面が三角形状、或いは台形状をなし、第２のねじ部のねじ山の側面と第１のねじ部のねじ山の側面との間に隙間を設けたため、ねじ込み動作中における摩擦が少なくなって、ねじ込みが容易となる上に、隙間への接着剤の充填の確実なものが得られる。
【００１３】
また、第２のねじ部のねじ山の頂部と第１のねじ部のねじ山間に位置する谷部の底部との間に隙間を設けたため、ねじ込み動作中における摩擦が一層少なくなって、ねじ込みが容易となる上に、隙間への接着剤の充填の確実なものが得られる。
【００１４】
また、隙間には、接着剤が設けられて、ホルダと保持部材が接着されたため、ホルダと保持部材の固定が確実で、ホルダのガタツキが無く、精度の良いものが得られる。
【発明を実施するための最良の形態】
【００１５】
発明の実施の形態について図面を参照して説明すると、図１は本発明のカメラモジュールの第１実施例に係る要部断面図、図２は本発明のカメラモジュールの第２実施例に係る要部断面図であり、次に、本発明のカメラモジュールの第１実施例に係る構成を図１に基づいて説明すると、内部にレンズ１が保持された筒状のホルダ２は、筒状部２ａと、この筒状部２ａの上部から突出して設けられ、ねじ込みするための突片２ｂと、筒状部２ａの外周面（外周部）に設けられた第１のねじ部（雄ねじ）３を有する。この第１のねじ部３は、平らな面に形成された頂部を有し、断面が四角形状のねじ山３ａと、ねじ山３ａ間に位置する谷部３ｂを有する。即ち、雄ねじである第１のねじ部３は、ねじ山３ａの頂部が平らな面となっている。
【００１６】
ホルダ２を保持する保持部材４は、筒状部５と、この筒状部５内の内周面（内周部）に設けられた第２のねじ部（雌ねじ）６を有し、この第２のねじ部６は、断面が台形状をなしたねじ山６ａと、ねじ山６ａ間に位置し、平らな面に形成された底部を有するする谷部６ｂを有する。即ち、雌ねじである第２のねじ部６は、谷部６ｂの底部が平らな面となっている。
【００１７】
そして、この保持部材４の第２のねじ部６には、ホルダ２の第１のねじ部３がねじ込まれて、ホルダ２が保持部材４に取り付けられており、ホルダ２のねじ込みは、突片２ｂの回転によって、第１のねじ部３のねじ山３ａの平らな頂部が第２のねじ部６の谷部６ｂの平らな底部に摺接されながら進入するようになり、ねじ込み途上、及びねじ込みが完了した際は、第１のねじ部３のねじ山３ａの上下の側面と第２のねじ部６のねじ山６の上下の側面との間に隙間Ｓ１が存在すると共に、第１のねじ部３の谷部３ｂの底部と第２のねじ部６のねじ山６ａの頂部との間に隙間Ｓ２が存在する。従って、ねじ込みに際して、第１のねじ部３のねじ山３の頂部と第２のねじ部６の谷部６ｂの底部の間以外は、摺接しないようになっている。なお、ここでは、第１のねじ部３がホルダ２に設けられ、第２のねじ部６が保持部材４に設けられたもので説明したが、第１のねじ部３が保持部材４に設けられ、第２のねじ部６がホルダ２に設けられたものでも良い。
【００１８】
また、保持部材４の内部の下部には、赤外線除去フィルタ（ＩＲカットフィルタ）７が配置されると共に、保持部材４の下部には、撮像素子８を取り付けた回路基板９が取り付けられている。そして、レンズ１を取り付けたホルダ２が保持部材３にねじ込まれて、レンズ１と撮像素子８間の焦点距離の調整が完了した後、接着剤１０が隙間Ｓ１，Ｓ２に充填されて、ホルダ２と保持部材４が接着されると、本発明のカメラモジュールが形成される。そして、この接着剤１０の充填時は、隙間Ｓ１、又は／及びＳ２の存在によって、第１，第２のねじ部３，６間への接着剤１０の流入が良好となって、ホルダ２と保持部材４間の接着が確実にできる。
【００１９】
また、図２は本発明のカメラモジュールの第２実施例を示し、この第２実施例について説明すると、第２のねじ部６のねじ山６ａの断面を三角形状となして、第２のねじ部６の形状をシンプルにしたもので、その他の構成は、前記第１実施例と同様の構成を有し、同一部品に同一番号を付し、ここではその説明を省略する。
【図面の簡単な説明】
【００２０】
【図１】本発明のカメラモジュールの第１実施例に係る要部断面図である。
【図２】本発明のカメラモジュールの第２実施例に係る要部断面図である。
【図３】従来のカメラモジュールに係る要部断面図である。
【図４】従来のカメラモジュールに係る雄ねじと雌ねじの噛み合い状態を示す説明図である。
【符号の説明】
【００２１】
１  レンズ
２  ホルダ
２ａ  筒状部
２ｂ  突片
３  第１のねじ部（雄ねじ）
３ａ  ねじ山
３ｂ  谷部
４  保持部材
５  筒状部
６  第２のねじ部（雌ねじ）
６ａ  ねじ山
６ｂ  谷部
７  赤外線除去フィルタ
８  撮像素子
９  回路基板
Ｓ１，Ｓ２  隙間
【図１】
2007047590.tif 000003
【図２】
2007047590.tif 000004
【図３】
2007047590.tif 000005
【図４】
2007047590.tif 000006